(57)【要約】 【課題】  メモリの数を減少させ、大型化及び複雑化を解消することが可能な送信システム及びこのシステムで用いられる励振器を提供する。【解決手段】  単一周波数網を構築する送信システムであって、前記送信システムに固有の遅延設定量が書き込まれたＴＳ信号を、複数の伝送経路を介して受信する送信システムは、励振器、増幅器及びアンテナを具備する。励振器は、前記複数の伝送経路毎に受信したＴＳ信号を前記遅延設定量に基づいて遅延させることで前記ＴＳ信号間の遅延差を解消する遅延合せ部と、前記遅延させた複数のＴＳ信号のうち正常な一つのＴＳ信号を出力する切替部とを備える。増幅器は、前記励振器からのＲＦ信号を増幅する。アンテナは、前記増幅されたＲＦ信号を空間へ送信する。【選択図】図１
2012065045.tif 000002
【特許請求の範囲】
【請求項１】
単一周波数網を構築する送信システムであって、前記送信システムに固有の遅延設定量が書き込まれたＴＳ信号を、複数の伝送経路を介して受信する送信システムにおいて、
前記複数の伝送経路毎に受信したＴＳ信号を前記遅延設定量に基づいて遅延させることで、前記ＴＳ信号間の遅延差を解消する遅延合せ部と、前記遅延させた複数のＴＳ信号のうち正常な一つのＴＳ信号を出力する切替部とを備える励振器と、
前記励振器からのＲＦ信号を増幅する増幅器と、
前記増幅されたＲＦ信号を空間へ送信するアンテナと
を具備することを特徴とする送信システム。
【請求項２】
前記遅延合せ部は、
前記ＴＳ信号を解析し、前記ＴＳ信号から前記遅延設定量を読み出す解析部と、
前記解析部からの前記遅延設定量に基づいて出力指示信号を生成する制御部と、
前記複数の伝送経路からの前記ＴＳ信号を一時的に保持し、前記出力指示信号に応じて保持したＴＳ信号を出力するバッファメモリ部と
を備えることを特徴とする請求項１記載の送信システム。
【請求項３】
前記励振器は、
遅延合せ部の前段に前記ＴＳ信号を検出する検出部であって、前記複数のＴＳ信号のうちいずれかのＴＳ信号が正常に検出されない場合、正常なＴＳ信号に出力を切り替える旨の切替信号を前記切替部へ出力する前記検出部をさらに備えることを特徴とする請求項１記載の送信システム。
【請求項４】
単一周波数網を構築する送信システムであって、前記送信システムに固有の遅延設定量が書き込まれたＴＳ信号を、複数の伝送経路を介して受信する送信システムに用いられる励振器であって、
前記複数の伝送経路毎に受信したＴＳ信号を前記遅延設定量に基づいて遅延させることで、前記ＴＳ信号間の遅延差を解消する遅延合せ部と、
前記遅延させた複数のＴＳ信号のうち正常な一つのＴＳ信号を出力する切替部と
を具備えることを特徴とする励振器。
【請求項５】
前記遅延合せ部は、
前記ＴＳ信号を解析し、前記ＴＳ信号から前記遅延設定量を読み出す解析部と、
前記解析部からの前記遅延設定量に基づいて出力指示信号を生成する制御部と、
前記複数の伝送経路からの前記ＴＳ信号を一時的に保持し、前記出力指示信号に応じて保持したＴＳ信号を出力するバッファメモリ部と
を備えることを特徴とする請求項４記載の励振器。
【請求項６】
遅延合せ部の前段に前記ＴＳ信号を検出する検出部であって、前記複数のＴＳ信号のうちいずれかのＴＳ信号が正常に検出されない場合、正常なＴＳ信号に出力を切り替える旨の切替信号を前記切替部へ出力する前記検出部をさらに備えることを特徴とする請求項４記載の励振器。
【発明の詳細な説明】
【技術分野】
【０００１】
本発明の実施形態は、単一周波数網を構築し、受信信号を送信する送信システム及びこのシステムに用いられる励振器に関する。
【背景技術】
【０００２】
単一周波数網を構築する従来の送信システムは、複数の伝送経路を経由してきたＴＳ（Transport Stream）信号を、伝送経路毎に設置された同期装置により同期させることで、ＴＳ信号間の遅延差を吸収する。送信システムは、各同期装置からの複数のＴＳ信号のうち正常なＴＳ信号を、ＴＳ切替器により選択的に切り替える。送信システムは、ＴＳ切替器からのＴＳ信号を、ＴＳ信号が有する遅延情報を参照して励振器で遅延させる。ここで、遅延情報とは、単一周波数網を構築させるため、隣接する送信システムとの遅延合わせを行うための情報であり、送信システム毎に予め設定される情報である。そして、送信システムは、励振器でＴＳ信号を元に変調をかけ、ＲＦ帯の変調信号へ変換し、電力増幅器で増幅した後、アンテナから空間へ送信する。
【０００３】
このような従来の送信システムでは、同期装置で遅延差を吸収し、励振器で単一周波数網構築のための遅延合わせを行うため、同期装置及び励振器に一時記憶用のメモリを搭載させなければならない。
【先行技術文献】
【特許文献】
【０００４】
【特許文献１】特開２００７−２００９６号公報
【発明の概要】
【発明が解決しようとする課題】
【０００５】
以上のように、従来の送信システムでは、同期装置及び励振器にメモリを搭載させなければならないため、送信システムの大型化及び複雑化の要因となっている。
【０００６】
そこで目的は、メモリの数を減少させ、大型化及び複雑化を解消することが可能な送信システム及びこのシステムで用いられる励振器を提供することにある。
【課題を解決するための手段】
【０００７】
実施形態によれば、単一周波数網を構築する送信システムであって、前記送信システムに固有の遅延設定量が書き込まれたＴＳ信号を、複数の伝送経路を介して受信する送信システムは、励振器、増幅器及びアンテナを具備する。励振器は、前記複数の伝送経路毎に受信したＴＳ信号を前記遅延設定量に基づいて遅延させることで前記ＴＳ信号間の遅延差を解消する遅延合せ部と、前記遅延させた複数のＴＳ信号のうち正常な一つのＴＳ信号を出力する切替部とを備える。増幅器は、前記励振器からのＲＦ信号を増幅する。アンテナは、前記増幅されたＲＦ信号を空間へ送信する。
【図面の簡単な説明】
【０００８】
【図１】実施形態に係る送信システムの機能構成を示すブロック図である。
【図２】図１の遅延合せ部の機能構成を示すブロック図である。
【図３】図２の励振器がサテライト受信部及び光電変換部からのＴＳ信号の遅延合せを行う際の図である。
【図４】実施形態に係る送信システムの機能構成のその他の例を示すブロック図である。
【発明を実施するための形態】
【０００９】
以下、実施の形態について、図面を参照して説明する。
【００１０】
図１は、実施形態に係る送信システム１０の機能構成を示すブロック図である。図１に示す送信システム１０は、例えば、サテライト受信部２０及び光電変換部３０と接続する。サテライト受信部２０は、衛星回線を経由して伝送されるＴＳ（Transport Stream）信号を受信し、受信したＴＳ信号を送信システム１０へ出力する。また、光電変換部３０は、光回線を経由して伝送されるＴＳ信号を受信し、受信したＴＳ信号を送信システム１０へ出力する。ここで、ＴＳ信号には、単一周波数網を構築するため、隣接する送信システムとの遅延合わせを行うためのＳＦＮ（Single Frequency Network）遅延設定量が書き込まれている。このＳＦＮ遅延設定量は、送信システム毎に予め設定されている。
【００１１】
図１に示す送信システム１０は、励振器１１、電力増幅器１２及びアンテナ１３を具備する。
【００１２】
励振器１１は、検出部１１１−１，１１１−２、遅延合せ部１１２−１，１１２−２、切替部１１３、変調部１１４及び周波数変換部１１５を備える。
【００１３】
検出部１１１−１は、サテライト受信部２０からのＴＳ信号を検出し、検出したＴＳ信号を遅延合せ部１１２−１へ出力する。検出部１１１−１は、サテライト受信部２０からのＴＳ信号が正常に検出されない場合、切替信号を切替部１１３へ出力する。また、検出部１１１−２は、光電変換部３０からのＴＳ信号を検出し、検出したＴＳ信号を遅延合せ部１１２−２へ出力する。検出部１１１−２は、光電変換部３０からのＴＳ信号が正常に検出されない場合、切替信号を切替部１１３へ出力する。
【００１４】
図２は、図１の遅延合せ部１１２−１，１１２−２の機能構成を示すブロック図である。遅延合せ部１１２−１，１１２−２の動作はそれぞれ同様であるため、ここでは、遅延合せ部１１２−１について説明する。遅延合せ部１１２−１は、解析部１１２１、バッファメモリ部１１２２及び制御部１１２３を備える。
【００１５】
検出部１１１−１からのＴＳ信号は、２つに分配され、一方が解析部１１２１へ供給され、他方がバッファメモリ部１１２２へ供給される。
【００１６】
解析部１１２１は、ＴＳ信号を解析し、ＴＳ信号に書き込まれたＳＦＮ遅延設定量を読み出し、読み出したＳＦＮ遅延設定量を制御部１１２３へ出力する。
【００１７】
制御部１１２３は、時刻を把握する際の基準となるクロック信号を外部から取得する。制御部１１２３は、解析部１１２１からＳＦＮ遅延設定量を受け取ると、そのＳＦＮ遅延設定量に基づいた出力指示をバッファメモリ部１１２２へ与える。
【００１８】
バッファメモリ部１１２２は、ＴＳ信号を受信し、受信したＴＳ信号を一時的に保持する。バッファメモリ部１１２２は、制御部１１２３からの出力指示に応じて保持するＴＳ信号を出力する。
【００１９】
このように、遅延合せ部１１２−１，１１２−２それぞれでＳＦＮ構築のための遅延合せを行うため、遅延合せ部１１２−１，１１２−２からは同期されたＴＳ信号が切替部１１３へ出力されることとなる。
【００２０】
切替部１１３は、検出部１１１−１，１１１−２からの切替信号に基づき、遅延合せ部１１２−１，１１２−２からのＴＳ信号のうち、正常に検出されたＴＳ信号を変調部１１４へ出力する。切替部１１３から出力されたＴＳ信号は、変調部１１４で変調され、周波数変換部１１５で周波数変換されてＲＦ信号となり、電力増幅器１２へ出力される。
【００２１】
電力増幅器１２は、励振器１１からのＲＦ信号を増幅し、増幅したＲＦ信号をアンテナ１３から空間へ送信する。
【００２２】
次に、以上のように構成された励振器１１からＲＦ信号が出力される際の処理を説明する。
【００２３】
図３は、図２の励振器がサテライト受信部２０及び光電変換部３０からのＴＳ信号の遅延合せを行う際の模式図を示す。
【００２４】
励振器１１は、（ｂ）に示すＴＳ信号Ｓ１をサテライト受信部２０から受信し、（ｃ）に示すＴＳ信号Ｓ２を光電変換部３０から受信する。ＴＳ信号Ｓ１とＴＳ信号Ｓ２とには、遅延差Ｄ１が存在する。
【００２５】
遅延合せ部１１２−１は、ＴＳ信号Ｓ１に書き込まれたＳＦＮ遅延設定量に基づき、（ｄ）に示すタイミングでＴＳ信号Ｓ１を切替部１１３へ出力する。ここで、ＳＦＮ遅延設定量には、例えば、ＴＳ信号が送信元から送信された時刻（以下、基準時刻と称する）からの遅延時刻が含まれる。遅延合せ部１１２−２は、ＴＳ信号Ｓ２に書き込まれた遅延情報に基づき、（ｅ）に示すタイミングでＴＳ信号Ｓ２を切替部１１３へ出力する。
【００２６】
切替部１１３は、（ｄ）及び（ｅ）に示すＴＳ信号Ｓ１，Ｓ２のうちいずれか一方を変調部１１４へ出力する。
【００２７】
以上のように、上記実施形態では、励振器１１で単一周波数網を構築するための遅延合せを行うことで、複数の伝送経路を経て受信されたＴＳ信号間の遅延差を吸収するようにしている。これにより、複数のＴＳ信号の同期とＳＦＮ遅延合せとを同時に行うことが可能となる。つまり、従来の送信システムのように伝送経路毎に同期装置を設ける必要がなくなる。
【００２８】
したがって、本実施形態に係る送信システムによれば、従来の送信システムよりメモリの数を減少させることが可能であり、送信システムの大型化及び複雑化を解消することができる。
【００２９】
なお、上記実施形態では、励振器１１がサテライト受信部２０及び光電変換部３０からのＴＳ信号を受信する例を説明した。しかしながら、本実施形態はこれに限定される訳ではない。例えば、励振器１１と接続される伝送経路は、２つに限定される訳ではない。また、励振器１１と接続される伝送経路は、衛星回線及び光回線に限定される訳ではなく、その他の回線であっても構わない。
【００３０】
また、上記実施形態では、変調部１１４及び周波数変換部１１５によりＴＳ信号をＲＦ信号へ変換する場合を例に説明したが、本実施形態はこれに限定される訳ではない。例えば、図４に示すように、直接変調部１１６で放送周波数帯の搬送波に直接変調をかけるようにしても構わない。
【００３１】
また、本発明における実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３２】
１０…送信システム
１１…励振器
１１１−１，１１１−２…検出部
１１２−１，１１２−２…遅延合せ部
１１２１…解析部
１１２２…バッファメモリ部
１１２３…制御部
１１３…切替部
１１４…変調部
１１５…周波数変換部
１１６…直接変調部
１２…電力増幅部
１３…アンテナ
２０…サテライト受信部
３０…光電変換部
【図１】
2012065045.tif 000003
【図２】
2012065045.tif 000004
【図３】
2012065045.tif 000005
【図４】
2012065045.tif 000006